(57)【要約】  【課題】頂板に対する支持強度を高めつつ、本来の収納空間のみならず背面側をも有効な収納空間として利用可能な収納家具を提供する。  【解決手段】頂板２１と、底板２２と、左右一対の側板２３、２３と、背板２４とによって前方へ開放される収納空間Ｓ１を形成した本体部２を具備する収納家具１において、背板２４を、頂板２１と底板２２との間に直接介在させ、且つ頂板２１、底板２２及び側板２３、２３の各後端２１ａ、２２ａ、２３ａよりも前方に偏位させて配置した。【選択図】図１
2005143757.tif 000002
【特許請求の範囲】
【請求項１】
頂板と、底板と、左右一対の側板と、背板とによって前方へ開放される収納空間を形成してなる本体部を具備するものであって、前記背板を、頂板と底板との間に直接介在させ、且つ頂板、底板及び一対の側板の各後端よりも前方に偏位させて配置していることを特徴とする収納家具。
【請求項２】
前記収納空間が、常に前方へ開放されたものである請求項１記載の収納家具。
【請求項３】
前記本体部に、収納空間内を縦方向、横方向又は縦横に区画する間仕切り板を着脱可能に設けている請求項１又は２記載の収納家具。
【請求項４】
前記背板の背面側において本体部に、当該背板と、前記頂板、底板及び一対の側板の各後端部とによって形成され後方へ開放された後部空間を背面側から部分的に遮蔽する背面パネルを設けている請求項１、２又は３記載の収納家具。
【請求項５】
前記背面パネルの後端を、本体部の後端と同一位置又はそれよりも前方に位置付けている請求項４記載の収納家具。
【請求項６】
前記背面パネルが、一対の側板間に亘る面板部と、該面板部の両端部から前方へ延出する左右一対の側壁部とを具備するものであり、該各側壁部とそれらに対応する各側板とを相互に係り合わせる係合部を形成している請求項４又は５記載の収納家具。
【請求項７】
前記係合部を、各側板の内面側に突出させたピンと、このピンと係り合うように各側壁部に形成した係合溝とから構成している請求項６記載の収納家具。
【発明の詳細な説明】
【技術分野】
【０００１】
本発明は、キャビネット、ワゴン、袖机、脇机等として好適に使用される収納家具に関するものである。
【背景技術】
【０００２】
従来より、キャビネット、ワゴン、袖机、脇机等として使用できるような収納家具は多数考えられてきている。このようなものには一例として、テーブル等の天板の側方に配置して脇机として用いたり、天板の下方空間に位置付けて袖引出として用いることができる収納家具が挙げられる（例えば、特許文献１参照）。このものは、前面側に多段の引出しを設けるとともに底板にキャスタを設けたワゴンタイプの収納家具であって、頂板の後端を底板の後端よりも前方に位置付け、底板の後端に立設した背丈の低い背板に水平な棚板を前方へ延ばす格好で支持させ、この棚板の前端と頂板の後端との間に幕板を鉛直姿勢で配置した構成を有しており、前方側では引出しに物品を収納し、後方側では棚板に物品を載せるようにすることで、筐体内奥部のデッドスペースを有効利用しようとするものである。
【特許文献１】特開平７−３２２７７６０公報
【発明の開示】
【発明が解決しようとする課題】
【０００３】
ところが、このような構成の収納家具においては、頂板はその側端部を左右の側板に支持されているが、後端部側には間に棚板を介在させて前後位置を異ならせた背板と幕板とを配置しているだけであるので、頂板は実質的に一対の側板にのみ支持された状態にあるといえる。そのため、特に頂板の後端部側に重量物を載置した場合、頂板が下方へ撓んだり中折れする虞があり、場合によっては収納家具全体に歪みが生じることも考えられる。なお、この収納家具は多段の引出しを備えているため収納家具全体としての剛性は比較的強く上述したような問題は生じにくいとも考えられるが、引出しがないような態様の収納家具ではこのような問題は特に生じやすいものであると考えられる。
【０００４】
そこで本発明は、以上のような問題に鑑みて、頂板に対する支持強度を高めつつ、本来の収納空間のみならず背面側をも有効な収納空間として利用可能な収納家具を提供しようとするものである。
【課題を解決するための手段】
【０００５】
すなわち、本発明の収納家具は、頂板と、底板と、左右一対の側板と、背板とによって前方へ開放される収納空間を形成してなる本体部を具備するものであって、背板を、頂板と底板との間に直接介在させ、且つ頂板、底板及び一対の側板の各後端よりも前方に偏位させて配置していることを特徴としている。
【０００６】
このような構成の収納家具であれば、頂板と底板との間に背板を直接的に介在させており、しかもその背板を頂板と底板の後端よりも前方に位置付けていることから、頂板を実質的に左右一対の側板と背板によって支持させることができるので、頂板の耐荷重性を向上させることができ、さらに頂板の撓みや中折れ、ひいては収納家具全体の歪みなどを有効に防止することができる。そしてこのことは、本体部の前端側に扉や引出しの鏡板などが配置されておらず、収納空間が常に前方へ開放された収納家具である場合に特に有効となる。また、背板が頂板や底板、側板の各後端よりも前方に存在することから、背板の背面側の空間も物置等として有効に利用することができる。
【０００７】
また、頂板の耐荷重性の向上、頂板の撓みや中折れ或いは収納家具全体の歪み防止という機能を更に高めつつ、収納空間の使い勝手をも向上するには、本体部に、収納空間内を縦方向、横方向又は縦横に区画する間仕切り板を着脱可能に設けることが望ましい。
【０００８】
上述のような背板の背面側という比較的奥行きの小さい空間を特に有効利用するためには、背板の背面側において本体部に、当該背板と、頂板、底板及び一対の側板の各後端部とによって形成され後方へ開放された後部空間を背面側から部分的に遮蔽する背面パネルを設けるとよい。このようにすることで、斯かる後部空間をマガジンラックや物立て等として好適に利用することができる。なお、この場合、背面パネルは上下又は左右に複数枚配置することも可能である。
【０００９】
そして、このような背面パネルを設けても収納家具全体としてのサイズが変更されないようにするには、背面パネルの後端を、本体部の後端と同一位置又はそれよりも前方に位置付けることが好ましい。
【００１０】
また、後部空間を不用意に狭めることなく適切に背面パネルを配置できるようにするためには、背面パネルを、一対の側板間に亘る面板部と、この面板部の両端部から前方へ延出する左右一対の側壁部とを具備するものとして、これら各側壁部とそれらに対応する各側板とを相互に係り合わせる係合部を形成するとよい。このような係合部として簡易な構造を実現するには、各側板の内面側に突出させたピンと、このピンと係り合うように各側壁部に形成した係合溝とから前記係合部を構成することが有効となる。
【発明の効果】
【００１１】
本発明の収納家具によれば、収納空間を有する本体部における頂板を、側端部においては左右一対の側板によって、後端部側においては後端よりもやや前寄りの位置を背板によってそれぞれ支持させており、しかも背板を頂板と底板との間に直接介在させていることから、頂板に重量物を載置しても撓みや中折れを効果的に防止し、本体部の歪み等の変形をも防止することが可能である。このことは、特に本体部の前端側に扉を設けない態様や、本体部内に引出しを設けない態様の収納家具において特に有効である。また、背板が頂板、底板、側板の各後端よりも前方位置に存在することから、背板の背面側における本体部内の後部空間も物置等として有効に利用することができる。このような効果は、例えば背板の後方に背面パネルを設ける場合に、比較的狭い後部空間をマガジンラック等として使用する際に特に有用なものである。
【発明を実施するための最良の形態】
【００１２】
以下、本発明の一実施形態を、図面を参照して説明する。
【００１３】
図１に後方から見た斜視図、図２（ａ）に平面図、図２（ｂ）に正面図、図２（ｃ）に背面図を示す本実施形態の収納家具１は、移動可能なワゴンやキャビネット、袖机や脇机等として使用可能なものであり、前面側の空間と背面側の空間の両方を利用できるように構成したものである。すなわち、この収納家具１は、通常の収納家具と同様に前方から物品の出し入れが可能な収納空間Ｓ１を有するとともに、背面側にもマガジンラック等として使用可能な後部空間Ｓ２を設定することができる矩形筐体状をなす本体部２を主体としている。
【００１４】
本体部２は、上下に対向配置されて対をなす概略矩形板状の頂板２１及び底板２２と、これら頂板２１と底板２２の両側端部間において上下に亘って配置される左右一対の側板２３、２３と、後端部側において上下方向には頂板２１と底板２２との間に亘り幅方向には両側板２３、２３同士の間に亘って配置される背板２４とから構成される。特に底板２２の底面側四隅には、キャスタ２５を取り付けてあり、この収納家具１を自立移動可能としている。なお、頂板２１、底板２２、側板２３、２３、及び背板２４の大きさや材質は任意であり、これらの組み立ては、ビス止め、釘打ち、ダボ打ち込み、スリット挿入、接着剤塗布等の適宜の方法を採用することができる。そして、本実施形態では、背板２４を、略同一位置に設定した背板２１の後端２１ａ、底板２２の後端２２ａ、各側板２３の後端２３ａよりも前方より（例えば数ｃｍ）の位置に配置している。このようにすることで、本体部２の内部空間を、背板２４の前面側においては前方へ開放された収納空間Ｓ１と、背板２４の背面側においては後方へ開放された後部空間Ｓ２とに区画している。なお、本体部２の収納空間Ｓ１側においては、図２（ｂ）に示すように、収納空間Ｓ１を左右に区画する縦間仕切り板３１や、収納空間Ｓ１を上下に区画する横間仕切り板３２、又はこれら縦間仕切り板３１及び横間仕切り板３２の両方を配置することができるようにしている。なお、これら縦間仕切り板３１や横間仕切り板３２は、本体部２に対して事後的にオプション的に設けるようにしてもよいし、予め設けた状態としておいてもよい。特に横間仕切り板３２を設ける場合には、本体部２の側板２３、２３の内側面側や縦間仕切り板３１の側面に設けた位置決めピン３３（図３参照）に載置するようにすればよい。また、縦間仕切り板３１の本体部２における幅方向の配置位置、横間仕切り板３２の本体部２における高さ方向の配置位置は図示したような各中央部に限らず、収納空間Ｓ１の使用容量に応じて適宜に設定することができる。
【００１５】
一方、本体部２の後部空間Ｓ２をマガジンラックや物立てとして使用するために、本体部２には背面パネル４を設けることができるようにしてある。具体的に本実施形態では、一例として金属板を折り曲げ加工した背面パネル４を適用している。この背面パネル４は、一対の側板２３、２３の内法寸法に略合致する幅寸法と、後部空間Ｓ２の内法高さ寸法よりも小さい（例えば１／３〜１／２程度）の高さ寸法を有する面板部４１と、面板部４１の両側端部を略直角に折り曲げた側壁部４２、４２と、面板部４１の下端部を側板部４２と同一方向に折り曲げた底壁部４３とから構成される。面板部４１には、多数の孔４１ａが形成されており、図１に想像線で示すように、後部空間Ｓ２に収納した雑誌や書類Ｍ、その他の物品を、この孔４１ａを通じて視認できるようにしている。このような背面パネル４を本体部２に取り付けるために、本体部２の側板２３、２３の内側面側にはピンｐを突出させており、このピンｐに引っ掛けられるように背面パネル４の各側壁部４２には係合溝４２ａを形成し、これらピンｐと係合溝４２ａとによって係合部Ｋを構成している。ここで本実施形態では、背面パネル４を後部空間Ｓ２の下端部側に配置するために、面板部４１の下端部４１ｂないし底壁部４３の下面が底板２１の上面に当接するかそれよりも若干浮上した位置となるように、ピンｐ及び係合溝４２ａの配置位置を決定しているが、このような態様よりも高い位置に背面パネル４を設けるようにすることも可能であるし、上下に高さを違えて複数の背面パネル４を配置するようにしても構わない。また、斯かる背面パネル４は本体部２から後方へ突出することがないように、面板部４１の背面４１ｃを、本体部２における頂板２１、底板２２、側板２３、２３の各後端２１ａ、２２ａ、２３ａと略合致させるか、それらよりもやや前方に位置付けるべく、側壁部４３の奥行き寸法や係合部Ｋの位置を設定している。
【００１６】
以上のように、本実施形態の収納家具１は、背板２４を、頂板２１と底板２２との間に直接介在させるとともに、頂板２１、底板２２及び側板２３、２３の各後端２１ａ、２２ａ、２３ａよりも前寄りの位置に配置していることから、頂板２１は側板２３、２３に側端を支持されるのみならず背板２４にも後端２１ａの前方を支持されることになるので、大きな上載荷重に耐え、頂板２１の撓みや中折れ、本体部２の歪みや損壊を有効に防止することができる。そしてこのような構成であるので、本体部２の主たる収納機能を果たす収納空間Ｓ１は前方へ常に開放された状態にあるが上述の機能が極めて有効なものとなる。また縦間仕切り板３１や横間仕切り板３２を設けていると、このような機能をさらに有効ならしめるとともに、収納空間Ｓ１を区画してその使い勝手を向上することができる。
【００１７】
さらに、このような背板２４の配置位置によって、本体部２には背板２４の背面側において形成された後方空間Ｓ２にも収納機能を発揮させることができる。そして、この後部空間Ｓ２をさらに背面側から部分的に塞ぐ背面パネル４を設けているため、比較的奥行き寸法の小さい後部空間Ｓ２をマガジンラック等として活用することが可能である。また、背面パネル４は本体部２内に収まるように配置しているので、収納家具１自体の大きさに変更を伴うこともない。また背面パネル４は、その主体となる面板部４１と側壁部４２、４２とを有しており、本体部２の側板２３、２３と側壁部４２、４２との間に、ピンｐと係合溝４２ａとからなる係合部Ｋを形成しているので、背面パネル４の要不要に応じた着脱を簡易な構成で容易なものとすることができる。
【００１８】
なお、本発明は上述した実施形態に限られるものではない。上記実施形態では、単体で使用される収納家具１について説明したが、この収納家具１は、例えば図４に示すように、脚体ＴＬと共に天板ＴＴを支持することによってテーブルＴを構成することもできるものである。このテーブルＴでは、平面視楕円形状をなす天板ＴＴの両側端部において左右均等にやや内寄りの位置を、収納家具１及び脚体ＴＬによって支持させたものである。なお、図示例では脚体ＴＬとして、脚柱ＴＬ１の下端部にそれぞれキャスタＴＬ３を備えた２本の脚羽根ＴＬ２を配置したものを適用している。また、天板ＴＴと脚体ＴＬ１及び収納家具１との間には、図示しないが適宜の天板受け部材を配置している。そして、収納家具１側において天板ＴＴに取り付けた天板受け部材と収納家具１の頂板２１に取り付けた台座（図示省略）とを例えば凹凸嵌合させることにより、天板ＴＴと収納家具１とを相対的に水平回動させる回動機構Ｒを設けている。なお、回動機構Ｒにおいては、天板ＴＴと収納家具１との回動角度を一定範囲に規制するように構成することもできる。このようにすることで、収納家具１を固定して天板ＴＴを回動させたり、その逆に収納家具１のみを回動させるなどして、収納家具１における収納空間Ｓ１や後部空間Ｓ２の方向を、それらの使い勝手に応じて適宜に変更することができるようにしている。また、このようなテーブルＴでは、天板ＴＴ及びその上載物による大きな荷重が収納家具１の頂板２１に作用するが、背板２４を収納家具１の後端よりも前方位置に配置しており、さらに縦間仕切り板３１をも設けていることから、頂板２１を収納家具１の後端に配置した場合と比較して天板ＴＴに対する支持強度が増し、頂板２１の撓みや中折れを有効に防止できることとなる。
【００１９】
また、本発明においては、収納家具自体の形状や大きさ、背板の本体部における前後位置、キャスタの有無など、各部の具体的構成については上記実施形態に限られるものではなく、本発明の趣旨を逸脱しない範囲で種々変形が可能である。
【図面の簡単な説明】
【００２０】
【図１】本発明の一実施形態を示す後方斜視図。
【図２】同実施形態を平面的に示す図。
【図３】図２（ｂ）におけるＡ−Ａ線拡大断面図。
【図４】同実施形態を適用したテーブルの一例を示す斜視図。
【符号の説明】
【００２１】
１…収納家具
２…本体部
４…背面パネル
２１…頂板
２１ａ…後端
２２…底板
２２ａ…後端
２３…側板
２３ａ…後端
２４…背板
３１…縦間仕切り板（間仕切り板）
３２…横間仕切り板（間仕切り板）
４１…面板部
４２…側壁部
４２ａ…係合溝
Ｋ…係合部
ｐ…ピン
Ｓ１…収納空間
Ｓ２…後部空間
【図１】
2005143757.tif 000003
【図２】
2005143757.tif 000004
【図３】
2005143757.tif 000005
【図４】
2005143757.tif 000006